(57)【要約】【課題】本発明は、ドレンパンの２次側に多く溜まるドレン水を円滑に１次側に導びいてドレン水の排水処理を確実になし、生空気がドレン流通路を介して直接２次側に侵入するのを防止して熱交換効率および空調性能の向上化を得られる空気調和装置を提供する。【解決手段】吸込み口１１と吹出し口１２を備えた本体１と、この本体内に収容され熱交換空気導通路Ｒを形成する送風機８と、熱交換空気導通路に位置する熱交換器９と、ドレンパン１０とを具備し、上記ドレンパンは、熱交換器を載置する載置部２０と、この載置部を挟んで両側に位置し熱交換空気導通路の風上側に設けられる１次側ドレン受け部２１および風下側に設けられる２次側ドレン受け部２２と、２次側ドレン受け部が受けたドレン水を載置部の両側部から一旦載置部外へ流出案内し、載置部を迂回してから１次側ドレン受け部へ導く第１のドレン流通路２７と第２のドレン流通路２８を備えた。【選択図】図２
2006336948.tif 000002
【特許請求の範囲】
【請求項１】
吸込み口および吹出し口を備えた本体と、
この本体内に収容され、駆動にともなって上記吸込み口から本体内に熱交換空気を吸込んで上記吹出し口から吹出す熱交換空気導通路を形成する送風機と、上記熱交換空気導通路に位置する熱交換器および、上記熱交換器の下部に設けられ熱交換器を載置するドレンパンとを具備し、
上記ドレンパンは、上記熱交換器を載置する載置部と、この載置部を挟んで両側に位置し上記熱交換空気導通路の風上側に設けられる１次側ドレン受け部および熱交換空気導通路の風下側に設けられる２次側ドレン受け部と、上記２次側ドレン受け部が受けたドレン水を上記載置部の両側部から一旦、載置部外へ流出案内し、載置部を迂回してから上記１次側ドレン受け部へ導くドレン流通路とを備えたことを特徴とする空気調和装置。
【請求項２】
上記ドレンパンは、上記２次側ドレン受け部の両側部に凸部を備え、これら凸部と上記載置部両側部および上記熱交換器両側部との間隙に、上記ドレン流通路が形成されることを特徴とする請求項１記載の空気調和装置。
【発明の詳細な説明】
【技術分野】
【０００１】
本発明は、天井裏に取付けられるビルトインタイプであり、たとえばダクトを介して天井板に設けられる吹出し口と連通する室内機である空気調和装置に関する。
【背景技術】
【０００２】
店舗などの広い空間を空調する場合には、空気調和装置の室内機として壁面に取付けられる、いわゆる壁掛け形よりも、天井裏に取付けられるビルトインタイプのものの方が有利である。すなわち、この種の室内機は、天井板に設けられる複数の吹出し口とダクトを介して連通され、室内全体に均一に熱交換空気を吹出すことができて快適空調が得られ、しかも壁掛け形のように居住者が受ける圧迫感がない。  
上記ビルトインタイプの空気調和装置室内機は、筐体である本体内に、送風機と、熱交換器と、この熱交換器の下部に設けられ、熱交換器を載置するドレンパンとを備えている。上記ドレンパンは、上記熱交換器を載置する載置部を挟んで、熱交換空気導通路の風上側（１次側）と風下側（２次側）にドレン水の受け部が形成される。
【０００３】
このような構成で、冷凍サイクル運転をなすとともに送風機を駆動することにより、熱交換器において冷媒と室内空気とが熱交換をなし、熱交換した空気はダクトを介して室内へ吹出される。室内空気に含まれる水分は熱交換にともなって凝縮され、ドレン水が生成されてドレンパンに滴下する。  
上記ドレンパンにおける２次側と１次側の受け部を比較すると、通風抵抗によって発生する圧力差分で、１次側よりも２次側にドレン水が溜まり易い。また、現地で施工されるダクトの形態によっても風量が大きく変動し、送風機の送風量が多くなるほど２次側に溜まるドレン水も多くなり、その結果、熱交換器下部が浸水することになる。
【０００４】
熱交換器下部にドレン水が浸水することにより、熱交換器の熱交換効率が低減して性能が低下する。熱交換器の温度低下にともなってドレン水が凍結し、条件によっては凍結した氷が肥大成長し、ついには熱交換器自体が破損に至る虞れがある。さらに、２次側に多く溜まったドレン水の一部が送風によって吹き飛ばされ、そのまま熱交換空気に乗って室内へ飛散し快適空調を損なう虞れがある。  
そこで、［特許文献１］には、熱交換器に対する風圧の差で２次側に多く溜まったドレン水を円滑に１次側に戻し、かつ容易に外部へ排水できるドレン受け皿を備えた空気調和機が開示されている。具体的には、ドレン受け皿中央に熱交換器を載置する凸部を設け、凸部の風下側（２次側）に第１溝を設け、風上側（１次側）に第１溝よりも深い第２溝を設けて、これら第１溝と第２溝とを複数個の傾斜通路で連通させてなる。
【特許文献１】実開昭６２−１７６６１２号公報
【発明の開示】
【発明が解決しようとする課題】
【０００５】
上述の［特許文献１］によれば、熱交換作用にともない熱交換器の表面を流下するドレン水は、送風機の風圧の影響を受けて風下側であるドレン受け皿の第１溝に多く溜る。このドレン水は、凸部に設けられる傾斜通路を通って風上側である第２溝へ導かれ、第２溝側に設けられる排水管から本体外へ排水される、とある。  
しかしながら上記傾斜通路は、送風機から熱交換器を介して吹出し口を結ぶ直線的な送風路中に設けられている。そのため、送風機から吹出された空気の大部分は熱交換器に導かれるが、一部の空気は傾斜通路に入って２次側である第１溝に流れ込んでしまう。  
すなわち、一部の空気は熱交換器で熱交換しない状態のまま、傾斜通路を介して直接２次側へ行く生空気となり、熱交換効率の低下をきたす。そして、傾斜通路に導かれたドレン水の一部が、そのまま送風路の熱交換空気に乗って吹出し口から室内へ吹出される虞れがある。
【０００６】
本発明は、上記事情に着目してなされたものであり、その目的とするところは、風圧の影響でドレンパンの２次側に多く溜まるドレン水を円滑に１次側に導びいて、ドレン水の排水処理を確実になし、生空気がドレンの流通路を介して直接２次側に侵入するのを防止して、熱交換効率および空調性能の向上化を得られる空気調和装置を提供しようとするものである。
【課題を解決するための手段】
【０００７】
上記課題を解決し目的を達成するために本発明の空気調和装置は、吸込み口および吹出し口を備えた本体と、この本体内に収容され駆動にともなって吸込み口から本体内に熱交換空気を吸込んで吹出し口から吹出す熱交換空気導通路を形成する送風機と、熱交換空気導通路に位置する熱交換器および熱交換器の下部に設けられ熱交換器を載置するドレンパンとを具備し、上記ドレンパンは、熱交換器を載置する載置部と、この載置部を挟んで両側に位置し熱交換空気導通路の風上側に設けられる１次側ドレン受け部および熱交換空気導通路の風下側に設けられる２次側ドレン受け部と、２次側ドレン受け部が受けたドレン水を載置部の両側部から一旦載置部外へ流出案内し載置部を迂回してから１次側ドレン受け部へ導くドレン流通路とを備えた。
【発明の効果】
【０００８】
本発明によれば、ドレン水の円滑な排水処理をなすとともに、ドレン水流通路を介しての生空気の侵入を防止して、熱交換効率および空調性能の向上化を図れる等の効果を奏する。
【発明を実施するための最良の形態】
【０００９】
以下、本発明の実施の形態を図面にもとづいて説明する。  
図１は本発明の一実施の形態に係るビルトインタイプの空気調和装置室内機の取付け状態を説明する図、図２は空気調和装置室内機の概略の断面図である。  
筐体である本体１は、各面部全てが、金属薄板を板金加工して成形され、内面には図示しない断熱材が組み込まれて断熱構造をなしている。図１における本体１の長手方向Ｘの寸法は、長手方向Ｘとは直交する方向である、紙面の前後方向（以下、「幅方向Ｙ」と呼ぶ）と比較して小さい薄型矩形箱状に成型されている。  
本体１の前後面には一対ずつの取付け具２が設けられていて、ここには天井裏Ｔに設けられる梁材３から垂設された吊持杆４が挿入され、かつ取付け固定される。本体１は梁材３と天井板５との間である、天井裏Ｔに設けられることになる。
【００１０】
本体１内の長手方向Ｘにおける略半分の長さ位置には、仕切り板６が本体１の幅方向Ｙに亘って設けられる。本体１内部は仕切り板６によって２室７Ａ，７Ｂに区分されていて、一方室（図の右側室）を機械室７Ａと呼び、ここには送風機８が配置される。仕切り板６で区分される他方室（図の左側室）を熱交換室７Ｂと呼び、ここには熱交換器９およびドレンパン１０が配置される。  
上記機械室７Ａの下面に吸込み口１１が開口され、上記熱交換室７Ｂの正面（図の左側面）には吹出し口１２が開口される。上記本体１が天井裏Ｔに取付け固定された状態で、上記吸込み口１１には吸込みダクト１３が接続され、上記吹出し口１２には複数の吹出しダクト１４が接続される。
【００１１】
上記吸込みダクト１３は、天井板５に開口する取付け用口１５に取付けられた化粧グリル１６に接続される。梁材３と天井板５との間の寸法によっては、本体１に設けられる吸込み口１１が直接、天井板５の取付け用口１５に対向する場合がある。このときは、当然、吸込みダクト１３を省略して化粧グリル１６を取付け用口１５に取付ける。  
上記吹出しダクト１４は、普通、天井板５に設けられる図示しない複数の室内吹出し口に連通される。すなわち、本体１から導出される熱交換空気は吹出しダクト１４で分流され、複数の室内吹出し口から一斉に室内へ吹出されて、室内の部位に係わらず均一な空調が行えるようになっている。
【００１２】
上記機械室７Ａに配置される送風機８は、中央部に図示しないファンモータを備えていて、このファンモータは両側部から回転軸が突出する二軸モータである。それぞれの回転軸には、回転にともなって軸方向から空気を吸込んで周方向へ吹出すタイプのファン（いわゆる多翼型ファン）１７が連結され、さらに各ファン１７はファンケーシング１８で囲撓される。  
上記ファンケーシング１８の仕切り板６側端部には吹出し口体部１８ａが形成され、上記仕切り板６に開口される連通口１９に上記吹出し口体部１８ａが接続される。したがって、上記連通口１９は、送風機８に通電しファン１７を駆動するのにともなって、ファンケーシング１８の吹出し口体部１８ａから吹出される風を直接、上記熱交換室７Ｂ側へ送風案内できる。
【００１３】
上記熱交換室７Ｂに配置される熱交換器９は、その両側端部に図示しない端板が配置され、この端板間に複数枚のアルミフィン９ａが所定の間隙を存して並設され、両端板およびアルミフィン９ａに複数本の伝熱管９ｂが貫通されてなるフィンチューブ型の熱交換器である。上記熱交換器９は、上記ドレンパン１０上に、上下方向が斜めに傾斜した姿勢で載置され、両端板が図示しない固定板を介して本体１に固定される。  
これは、本体１が天井裏Ｔに取付けられる関係上、本体１の上下方向寸法を可能な限り短縮して薄型化を図る必要から、熱交換器９の上下方向寸法を充分な長さに設定することができない。その一方で、熱交換器９の熱交換面積を可能な限り確保して、熱交換効率の向上を図らなければならない。したがって、熱交換器９を斜めに傾斜した姿勢とすることにより、上下方向寸法を抑えて薄型の本体１内に収容可能となすとともに、充分な熱交換面積を確保することができる。
【００１４】
上記ドレンパン１０は、たとえば発泡スチロールなどの発泡性合成樹脂材を発泡して得られる成型品であって、その上面側がアクリロニトリル・ブタジェン・スチレン樹脂（ＡＢＳ樹脂）等の合成樹脂材でコーティングされている。ドレンパン１０の長手方向Ｘと幅方向Ｙの寸法が、熱交換室７Ｂの長手方向Ｘと幅方向Ｙの寸法と略同一に形成されている。したがって、ドレンパン１０を熱交換室７Ｂに取付けた状態で、ドレンパン１０は熱交換室７Ｂの全面に亘って、ほとんど隙間のない状態で嵌め込まれる。  
さらに、上記ドレンパン１０について詳述する。図３はドレンパン１０の斜視図であり、図４はドレンパン１０の平面図である。  
上記ドレンパン１０は熱交換室７Ｂに嵌め込まれるところから、本体１の幅方向Ｙと比較して長手方向Ｘが極く狭い横長矩形状に形成される。このドレンパン１０の周縁全周に亘って均一な立ち上がり寸法に形成される側壁部１０ａ〜１０ｄが設けられている。すなわち、ドレンパン１０の外形を形成する側壁部１０ａ〜１０ｄは、底面から上端面までの寸法が全周に亘って均一である。
【００１５】
ドレンパン１０の側壁部１０ａ〜１０ｄ内である底面部は、載置部２０と、この載置部２０を挟んだ両側に１次側ドレン受け部２１と２次側ドレン受け部２２および、これら載置部２０と１、２次側ドレン受け部２１，２２の側部に収容部２３が形成されてなる。  
なお説明すると、再び図２に示すように、上記熱交換器９を載置部２０に載置した状態で、この載置部２０を挟んで後述する熱交換空気導通路Ｒの風上側に１次側ドレン受け部２１が設けられ、熱交換空気導通路Ｒの風下側に２次側ドレン受け部２２が設けられている。上記熱交換器９は、載置部２０から２次側ドレン受け部２２側に斜めに傾斜していて、下部側の一部が１次側ドレン受け部２１側へ突出している。
【００１６】
再び図３、図４に戻って、上記載置部２０は、幅方向Ｙに沿う側壁部１０ａ、１０ｂと所定間隔を存して並行に設けられ、熱交換器９の下端鈍角部を載置するのに必要最小限の幅に形成される。載置部２０の一端部ａは、収容部２３を介して左側の側壁部１０ｃと所定間隔を存して設けられ、他端部ｂは、図の右側の側壁部１０ｄと狭小の間隙を存して設けられる。載置部２０上面に沿って、ある程度の高さ寸法を有する直状の突堤となるクッション材が取付けられ、熱交換器９に対する機械的な負担を軽減した状態で熱交換器９を載置できる。  
各側壁部１０ｃ、１０ｂの上端面から１次側ドレン受け部２１までの距離である、１次側ドレン受け部２１の深さ寸法は、各側壁部１０ｃ、１０ｄ上面から２次側ドレン受け部２１までの距離である、２次側ドレン受け部２２の深さ寸法よりも深く形成されている。そして、２次側ドレン受け部２２は、載置部２０側が最も深く、載置部２０と長手方向Ｘに対向して設けられる側壁部１０ａに向かって漸次浅くなる傾斜に形成される。
【００１７】
換言すれば、上記載置部２０は、２次側ドレン受け部２２の最も深く形成される部位に沿って設けられる。そして、２次側ドレン受け部２２の最も深い部分であっても、上記１次側ドレン受け部２１の深さ寸法よりも浅いことは上述した通りであり、載置部２０から２次側ドレン受け部２２へ１段下がった段部が形成される。  
このような２次側ドレン受け部２２における幅方向Ｙの両側部には、互いに異なる形態のＡ凸部２５とＢ凸部２６が突設される。上記Ａ凸部２５は、上記載置部２０の端部ａと所定間隔を存して対向し、かつ図の左側の側壁部１０ｃと並行する部分と、上側の側壁部１０ａと並行する部分が一体に屈曲形成されて、逆Ｌ字状となっている。上記Ｂ凸部２６は、載置部２０の端部ｂと所定間隔を存して対向し、右側の側壁部１０ａに沿って直状に設けられる。
【００１８】
Ａ，Ｂ凸部２５，２６の上端面と側壁部１０ｃ、１０ｄ上端面との間隔が全長に亘って均一に形成される一方で、上述したように２次側ドレン受け部２２において載置部２０側が最も深くなるよう傾斜しているので、Ａ，Ｂ凸部２５，２６は載置部２０側が最も高く、長手方向Ｘに対向して設けられる側壁部１０ａに向かって漸次低くなるよう形成される。  
図５（Ａ）（Ｂ）はＡ凸部２５の側端部２５ａと、その近傍部位の、互いに異なる方向から見た斜視図であり、図６（Ａ）（Ｂ）はＢ凸部２６の側端部２６ａと、その近傍部位の、互いに異なる方向から見た斜視図である。
【００１９】
Ａ，Ｂ凸部２５，２６の側端部２５ａ，２６ａは、載置部２０の端部ａ，ｂと所定の間隙を存して対向し、上端面から底面に向かって斜めに形成される傾斜面となっている。Ａ凸部２５の上面にはシール部材ｄが取付けられ、Ｂ凸部２６の少なくとも側端部２６ａにもシール部材ｄが取付けられる。側端部２５ａ，２６ａを形成する傾斜面の傾斜角度は、載置部２０上に載置される熱交換器９の傾斜角度と一致しており、Ａ，Ｂ凸部２５，２６の側端部２５ａ，２６ａに上記シール材ｄを介して熱交換器９が当接する。なお、熱交換器９のＹ方向長さ寸法は、Ａ，Ｂ凸部２５，２６間の間隙より大きく設けられている。  
２次側ドレン受け部２２と１次側ドレン受け部２１の一側部は、Ａ凸部２５の側端部２５ａと、載置部２０の端部ａとの間に形成される隙間を介して連通する。これらの部材間に形成される隙間を、第１のドレン流通路２７と呼ぶ。また、２次側ドレン受け部２２と１次側ドレン受け部２１の他側部は、Ｂ凸部２６の側端部２６ａと、側壁部１０ａと、載置部２０の端部ｂとの間に形成される隙間を介して連通する。これらの部材間に形成される隙間を、第２のドレン流通路２８と呼ぶ。
【００２０】
特に図２に示すように、上記熱交換器９を載置部２０上に載置した状態で、熱交換器９がＡ凸部２５の側端部２５ａ上に当接するので、第１のドレン流通路２７の上方空間が熱交換器９で塞がれてトンネル状となっている。また、熱交換器９はＢ凸部２６の傾斜面２６ａ上に当接するので、第２のドレン流通路２８の上方空間も熱交換器９で塞がれてトンネル状となっている。  
ただし、載置部２０の端部ａとＡ凸部２５の側端部２５ａとは略同一線上にあり、第１のドレン流通路２７はＹ方向に直状のトンネルとなる。載置部２０の端部ｂはＢ凸部２６の側面および側壁部１０ｄ内面から離間した位置にあり、第２のドレン流通路２８は平面視で鍵状（Ｌ字状）のトンネルとなる。
【００２１】
上記Ａ凸部２５と左側壁部１０ｃとで囲まれる上記収容部２３は、図示しないドレンポンプや、膨張弁および配管類を収容する。これら部品を収容部２３に収容した状態で、同じく図示しない左側固定板によって囲まれる。すなわち、上記左側固定板は平面視で逆Ｌ字状の板金で、Ａ凸部２５の上端面から本体１の天井面内側までの高さ寸法を有し、本体１の左側板と熱交換器９の端板とに固定される。  
左側固定板の熱交換器９側端面は、熱交換器９の傾斜姿勢に対応する傾斜面をなしている。ドレンパン１０を本体１に取付けることにより、Ａ凸部２５の上端面と左側固定板の下端面とがシール部材ｄを介して当接する。この左側固定板により収容部２３空間と熱交換室７Ｂの２次側空間とは区画される。
【００２２】
また、熱交換器９の右側端板は、図示しない右側固定板を介して本体１に固定される。上述の左側固定板、右側固定板および熱交換器９により熱交換室７Ｂの１次側空間と２次側空間とは区画され、これら空間は熱交換器９のアルミフィン９ａ間の間隙と第１、第２のドレン流通路２７，２８とを介して連通するようになっている。  
第１、第２のドレン流通路２７，２８の近傍で、１次側ドレン受け部２１の幅方向Ｙと対向する側壁部１０ｃ，１０ｄのそれぞれには、排水口２９が設けられている。各排水口２９には、図示しないドレンホースを接続するための接続用口体３０が、側壁部１０ａから外方へ向かって突設される。すなわち、１次側ドレン受け部２１に溜まるドレン水は、左右の排水口２９から接続用口体３０とドレンホースを介して排出されるようになっている。
【００２３】
実際には、本体１を天井裏Ｔの所定の部位に取付けたあと、テストとして１次側ドレン受け部２１に水を落し、ドレンホースを接続する側に水が流れるように本体１の取付け姿勢を調整する。場合によっては、水がより多く流れる側の接続用口体３０にドレンホースを接続し、少ない側の接続用口体３０は栓体で塞ぐ。  
このように構成された空気調和装置の室内機であり、冷凍サイクル運転とともに送風機８が駆動されると、室内空気が化粧グリル１６と吸込み口１１を介して本体１内に形成される熱交換空気導通路Ｒに沿って導かれる。具体的には、熱交換空気は吸込み口１１から機械室７Ａに吸込まれ、送風機８を構成するファンケーシング１８と、仕切り板６に設けられる連通口１９を介して熱交換室７Ｂに導かれる。
【００２４】
熱交換空気は、ドレンパン１０に載置される熱交換器９に向かって吹出され、幅方向Ｙ全長に亘って流通して熱交換器９に導かれる冷媒と熱交換される。熱交換器９と熱交換したあとの熱交換空気は、吹出し口１２に導かれダクト１４を介して室内へ吹出されて、室内の熱交換作用をなす。  
なお、ドレンパン１０に対する熱交換空気の流れをみると、はじめに１次側ドレン受け部２１を通過してから載置部２０に到達し、さらに載置部２０から２次側ドレン受け部２２を通過して吹出し口１２へ吹出される。したがって、熱交換空気導通路Ｒが、風上側である１次側ドレン受け部２１−載置部２０−風下側である２次側ドレン受け部２２の順に形成されることになる。
【００２５】
冷房運転時には、熱交換器９の熱交換作用にともなってドレン水が生成され、ドレンパン１０に滴下する。その一方で、送風機８が駆動され、熱交換空気導通路Ｒに沿って熱交換空気が送風される。  
通常、熱交換器９で生成されたドレン水は、熱交換器９を伝って１次側ドレン受け部２１に滴下するが、ドレンパン１０に載置される熱交換器９は、上述したようにほとんど大部分が２次側ドレン受け部２２に対向するよう傾斜し、１次側ドレン受け部２１が風上側に設けられ、２次側ドレン受け部２２が風下側に設けられるところから、風量が大きかったりドレン水の発生量が多いと、１次側ドレン受け部２１に滴下するドレン水よりも２次側ドレン受け部２２に滴下するドレン水の量が多くなる。
【００２６】
１次側ドレン受け部２１に滴下したドレン水は、ドレンパン１０の排水口２９から接続用口体３０とドレンホースを介して外部に排出される。２次側ドレン受け部２２に滴下したドレン水は、傾斜下端に設けられる載置部２０方向へ向かって流れるが、この載置部２０はある程度高さのある突堤であり、２次側ドレン受け部２２の幅方向Ｙ長さと略同一長さに設けられているから、一旦、載置部２０でせき止められる。  
上記載置部２０でせき止められたドレン水は、載置部２０の左右両側端に設けられる第１のドレン流通路２７もしくは第２のドレン流通路２８に向って流れ、それぞれの流通路２７，２８を通過する。いずれの流通路２７，２８も、載置部２０の左右両端部ａ，ｂに沿って形成されるので、ドレン水は載置部２０から一旦、外部へ流出案内される。
【００２７】
ただし、第１、第２のドレン流通路２７，２８は１次側ドレン受け部２１に連通しているから、ドレン水は載置部２０の両端部ａ，ｂを迂回して１次側ドレン受け部２１に流入する。このように、２次側ドレン受け部２２に滴下したドレン水は、第１のドレン流通路２７および第２のドレン流通路２８を介して１次側ドレン受け部２１に集溜され、ここから排水口２９とドレンホースを介して外部へ排出される。  
上記熱交換器９の取付け姿勢および送風機８の送風作用にともなう風圧の影響で、２次側ドレン受け部２２に多くのドレン水が滴下するが、本発明においては２次側ドレン受け部２２と１次側ドレン受け部２１とを連通する第１、第２のドレン流通路２７，２８を設けている。これら第１、第２のドレン流通路２７，２８は、載置部２０の両側端部ａ，ｂから一旦、載置部２０外へドレン水を流出案内し、載置部２０を迂回してから１次側ドレン受け部２１に導くので、ドレン水を円滑に、かつ確実に排水できる。
【００２８】
一方、第１のドレン流通路２７は、載置部２０の風下側である２次側ドレン受け部２２にＡ凸部２５とともに形成され、幅方向Ｙに沿う直状トンネルであって、送風作用にともなって形成される熱交換空気導通路Ｒとは直交する方向である。したがって、第１のドレン流通路２７には熱交換空気導通路Ｒに沿って送風される熱交換空気が通り抜けし難い。第１のドレン流通路２７を流通するドレン水は送風の影響を受け難くく、ドレン水は第１のドレン流通路２７を円滑に流れる。  
また、第２のドレン流通路２８は、載置部２０の風下側である２次側ドレン受け部２２にＢ凸部２６とともに形成され、載置部２０の端部ｂに沿って鍵状（Ｌ字状）に設けられるトンネルであるから、熱交換空気導通路Ｒに沿って導かれる熱交換空気が通り抜けし難い。
【００２９】
なお説明すると、第２のドレン流通路２７の風上側はドレンパン１０の側端部に形成される側壁部１０ａに沿って開口しているので、送風機８の送風作用による熱交換空気が導びかれ難い位置にある。たとえ１次側ドレン受け部２１から第２のドレン流通路２８に熱交換空気が侵入しても、侵入方向に対向してＢ凸部２６の側端部２６ａが存在しているので、熱交換空気はここにに当たって、侵入直後で侵入を遮られる。  
第２のドレン流通路２８は、さらに直角に曲り載置部２０の端部ｂに沿って鍵状に形成されていて、Ｂ凸部２６の側端部２６ａに進行を妨げられた熱交換空気が、直角方向に曲って奥方へ侵入することはほとんどない。すなわち、第２のドレン流通路２８を流通するドレン水も送風の影響を受け難くく、ドレン水は第２のドレン流通路２８を円滑に流れる。
【００３０】
このようにして第１、第２のドレン流通路２７，２８を構成したから、１次側ドレン受け部２１から各ドレン流通路２７，２８を介して２次側ドレン受け部２２へ吹き抜ける熱交換空気はほとんどない。換言すれば、熱交換器９を流通しない生空気が第１、第２のドレン流通路２７，２８を介して直接、２次側ドレン受け部２２へ通り抜けることがなく、熱交換効率の向上が得られる。  
そして、２次側ドレン受け部２２から熱交換空気に乗って吹出し口１２と吹出しダクト１４へ導かれるドレン水の飛沫もなく、結局、室内へ導かれるドレン飛沫がなくなって、快適空調が得られる。
【００３１】
なお、第１のドレン流通路２７は直状に形成され、第２のドレン流通路２８は鍵状に形成されているが、これに限定されるものではなく、要は、２次側ドレン受け部２２が受けたドレン水を載置部２０の両側部から一旦、載置部２０外へ流出案内し、載置部２０を迂回してから１次側ドレン受け部２１へ円滑に導き、かつ熱交換空気の導通路Ｒに沿わない構成であればよい。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３２】
【図１】本発明の一実施の形態に係る、空気調和装置室内機の取付け状態を説明する図。
【図２】同実施の形態に係る、空気調和装置室内機の概略の断面図。
【図３】同実施の形態に係る、ドレンパンの斜視図。
【図４】同実施の形態に係る、ドレンパンの平面図。
【図５】同実施の形態に係る、ドレンパンにおける第１のドレン流通路を説明する、互いに異なる方向から見た斜視図。
【図６】同実施の形態に係る、ドレンパンにおける第２のドレン流通路を説明する、互いに異なる方向から見た斜視図。
【符号の説明】
【００３３】
１１…吸込み口、１２…吹出し口、１…本体、Ｒ…熱交換空気導通路、８…送風機、９…熱交換器、１０…ドレンパン、２０…載置部、２１…１次側ドレン受け部、２２…２次側ドレン受け部、２７…第１のドレン流通路、２８…第２のドレン流通路、２５…Ａ凸部、２６…Ｂ凸部。
【図１】
2006336948.tif 000003
【図２】
2006336948.tif 000004
【図３】
2006336948.tif 000005
【図４】
2006336948.tif 000006
【図５】
2006336948.tif 000007
【図６】
2006336948.tif 000008